(57)【要約】      （修正有）【課題】意外性、マジック性のあるキャップ式筆記具を提供する。【解決手段】ケーシング１０に対して筆記体２０を出入り自在に配設し、圧縮ばね３０によって上方に向かって付勢する。ケーシング１０からキャップ４０が取り外された状態においては、筆記体２０は、ケーシング１０の開口部１１ｂから突出した使用位置Ｐ１に位置決めされる。ケーシング１０にキャップ４０が装着されると、キャップ４０の開口部４１ｂに嵌合されている押圧部材４３が、圧縮ばね３０の付勢力に抗して、筆記体２０を退避させて、ケーシング１０内の収納位置に収納する。このとき、透明なキャップ本体４１を透かして内部を見ても筆記体２０を視認することができない。キャップ４０を外すと、筆記体２０が現れる。【選択図】図１
0003144421.tif 000002
【実用新案登録請求の範囲】
【請求項１】
使用時にはキャップを取り外して使用するキャップ式筆記具において、
ほぼ筒状に形成され、内側に収納部を有するとともに、軸心に沿った一端側に開口部を有するケーシングと、
前記ケーシングによって前記軸心に沿ってスライド可能に支持され、前記収納部に退避される収納位置と、前記開口部から突出する使用位置とをとる筆記体と、
前記収納部に配設されて、前記筆記体を前記収納位置から前記使用位置に向けて付勢する付勢部材と、
ケーシング側端部近傍に押圧部を有し、前記ケーシングに着脱自在な前記キャップと、を備え、
前記キャップは、その内側が視認できるように、少なくとも一部が透明又は半透明に形成されるとともに、前記ケーシングに装着された際には、前記押圧部が前記使用位置にある前記筆記体を押圧して前記収納位置に退避させ、また、前記ケーシングから取り外された際には、前記付勢部材の付勢力により前記筆記体が前記収納位置から前記使用位置にスライド移動することを許容する、
ことを特徴とするキャップ式筆記具。
【請求項２】
前記ケーシングは円筒状又は角筒状に形成され、
前記付勢部材は、その外周が前記軸心を基準としてケーシングの内壁にほぼ内接するコイル状の圧縮ばねによって形成されている、
ことを特徴とする請求項１に記載のキャップ式筆記具。
【請求項３】
前記ケーシングは、前記キャップが取り外された際に、前記付勢状態の前記筆記体の一部に係合して前記筆記体を前記使用位置に位置決めするストッパを有する、
ことを特徴とする請求項１又は２に記載のキャップ式筆記具。
【請求項４】
前記ケーシングと前記筆記体との間に、前記使用位置に位置決めされた前記筆記体の前記軸心方向の移動を禁止するロック位置と、ロック解除位置とをとるロック機構を有する、
ことを特徴とする請求項１ないし３のいずれか１項に記載のキャップ式筆記具。
【請求項５】
前記ケーシング及び前記押圧部が不透明に形成されている、
ことを特徴とする請求項１ないし４のいずれか１項に記載のキャップ式筆記具。
【請求項６】
前記キャップは、内側が密閉されていて、透明又は半透明の液体が充填されている、
ことを特徴とする請求項１ないし５のいずれか１項に記載のキャップ式筆記具。
【請求項７】
前記液体中に鑑賞物が入れられている、
ことを特徴とする請求項６に記載のキャップ式筆記具。
【考案の詳細な説明】
【技術分野】
【０００１】
本考案は、文字等の筆記時にキャップを取り外して使用するキャップ式筆記具に関する。
【背景技術】
【０００２】
キャップ式筆記具、例えば、キャップ式ボールペンは、不使用時にはキャップが装着されていて、使用時には、そのキャップを取り外してボールペンチップを露出させた状態で使用される。例えば、特許文献１に開示されているキャップ式ボールペンにおいて、キャップが透明又は半透明である場合には、キャップが装着された状態でも、ボールペンチップやその近傍のようすを、キャップを透かして外部から目視することができるようになっている。そして、もちろん、その透明又は半透明なキャップを取り外した場合には、キャップが装着された状態で外部から見たのと同じ状態が現れることになる。
【特許文献１】特開２００３−７２２８４号公報
【考案の開示】
【考案が解決しようとする課題】
【０００３】
上述のキャップが透明又は半透明なキャップ付きボールペンにおいては、キャップの着脱にかかわらず、ボールペンチップ及びその近傍の状態（ようす）が変化することはない。つまり、使用者（マジシャン）は、キャップを取り外した場合でも、キャップが装着された状態で外側から透かしてみたボールペンチップ及びその近傍の状態と同じ状態を見ることになる。したがって、このキャップ付きボールペンは、もちろん本来の機能である筆記については何も問題はないものの、それ以上のもの、例えば、意外性やマジック性を期待することはできない。
【０００４】
そこで、本考案は、キャップの着脱によって、筆記体が見え隠れするようにして、意外性やマジック性を発揮することができるキャップ付き筆記具を提供することを目的とするものである。
【課題を解決するための手段】
【０００５】
請求項１に係る考案は、使用時にはキャップを取り外して使用するキャップ式筆記具に関する。この考案に係るキャップ式筆記具は、ほぼ筒状に形成され、内側に収納部を有するとともに、軸心に沿った一端側に開口部を有するケーシングと、前記ケーシングによって前記軸心に沿ってスライド可能に支持され、前記収納部に退避される収納位置と、前記開口部から突出する使用位置とをとる筆記体と、前記収納部に配設されて、前記筆記体を前記収納位置から前記使用位置に向けて付勢する付勢部材と、ケーシング側端部近傍に押圧部を有し、前記ケーシングに着脱自在な前記キャップと、を備え、前記キャップは、その内側が視認できるように、少なくとも一部が透明又は半透明に形成されるとともに、前記ケーシングに装着された際には、前記押圧部が前記使用位置にある前記筆記体を押圧して前記収納位置に退避させ、また、前記ケーシングから取り外された際には、前記付勢部材の付勢力により前記筆記体が前記収納位置から前記使用位置にスライド移動することを許容する、ことを特徴としている。
【０００６】
請求項２に係る考案は、請求項１に係るキャップ式筆記具において、前記ケーシングは円筒状又は角筒状に形成され、前記付勢部材は、その外周が前記軸心を基準としてケーシングの内壁にほぼ内接するコイル状の圧縮ばねによって形成されている、ことを特徴としている。
【０００７】
請求項３に係る考案は、請求項１又は２に係るキャップ式筆記具において、前記ケーシングは、前記キャップが取り外された際に、前記付勢状態の前記筆記体の一部に係合して前記筆記体を前記使用位置に位置決めするストッパを有する、ことを特徴としている。
【０００８】
請求項４に係る考案は、請求項１ないし３のいずれか１項に係るキャップ式筆記具において、前記ケーシングと前記筆記体との間に、前記使用位置に位置決めされた前記筆記体の前記軸心方向の移動を禁止するロック位置と、ロック解除位置とをとるロック機構を有する、ことを特徴としている。
【０００９】
請求項５に係る考案は、請求項１ないし４のいずれか１項に係るキャップ式筆記具において、前記ケーシング及び前記押圧部が不透明に形成されている、ことを特徴としている。
【００１０】
請求項６に係る考案は、請求項１ないし５のいずれか１項に係るキャップ式筆記具において、前記キャップは、内側が密閉されていて、透明又は半透明の液体が充填されている、ことを特徴としている。
【００１１】
請求項７に係る考案は、請求項６に係るキャップ式筆記具において、前記液体中に鑑賞物が入れられている、ことを特徴としている。
【考案の効果】
【００１２】
請求項１の考案によると、ケーシングにキャップが装着された状態においては、筆記体は、キャップの押圧部によって押圧され、付勢部材の付勢力に抗してケーシング内の収納部に退避されて収納される。したがって、キャップの少なくとも一部の透明又は半透明な部分からキャップの内側を透かして見ても筆記体は見えない。これに対し、ケーシングからキャップと取り外すと、筆記体は、付勢部材に付勢されて収納部内の収納位置から使用位置に突出する。このため、からくりを知らない者にとっては、キャップの装着時にはなかった筆記体が、キャップを取り外しことによって突然、現出したかのように見える。使用位置に突出された筆記体を握って筆記を行えば、普通の筆記具と同様に文字や図を書くことができる。つまり、筆記具としてはもちろん、意外性のあるマジックの道具としても使用することができる。
【００１３】
請求項２の考案によると、付勢部材としての圧縮ばねは、その外周が円筒状又は角筒状のケーシングの内壁にほぼ内接しているので、内接していない場合に発生する不具合、例えば、圧縮ばねが伸縮される際に、中心軸が捩れて外周がケーシングの内壁に衝突して発生する異音を防止したり、伸張された際に外周とケーシングの内壁との間に隙間ができて、ケーシングを動かしたときに外周がケーシングの内面に接触して発生する異音を防止したりすることができる。
【００１４】
請求項３の考案によると、筆記体は、キャップが取り外された際に、ストッパによって確実に使用位置に配置される。
【００１５】
請求項４の考案によると、使用位置に配置された筆記体は、ロック機構によって軸心方向の移動が禁止されるので、この状態で、例えば、見物人がキャップを装着使用としても、筆記体が退避しないので、キャップを装着することができない。一方、使用者がキャップを装着する場合には、ロック解除することにより、筆記体を収納位置に退避させて、キャップをケーシングに装着することができる。このことにより、一層、マジック性を高めることができる。
【００１６】
請求項５の考案によると、ケーシング及び押圧部が不透明に形成されているので、筆記体がケーシング内の収納部に配置されている際に、これらケーシングや押圧部を透かしてケーシング内が目視されるようなことはない。
【００１７】
請求項６の考案によると、一般的な筆記具においては空間であるキャップの内側に透明又は半透明の液体が充填されていることが外部からキャップを透かして確認することができるので、ここに筆記具がないことを強調して、意外性を高めることができる。
【００１８】
請求項７の考案によると、キャップの内側に充填された液体中に、鑑賞物が入れられているので、ここに筆記具がないことをさらに強調して、一層、意外性を高めることができる。
【考案を実施するための最良の形態】
【００１９】
以下、本考案の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２０】
図１（ａ）〜（ｆ），図２（ａ）〜（ｆ）を参照して、本考案に係るキャップ式筆記具１について説明する。このうち、図１（ａ）〜（ｆ）は、キャップ４０を外した状態のキャップ式筆記具１を示す図であり、（ａ）は正面図（前面図）、（ｂ）は上面図、（ｃ）は下面図、（ｄ）は右側面図、（ｅ）は背面図（後面図）、（ｆ）は（ａ）のＡ−Ａ線矢視図である。また、図２（ａ）〜（ｆ）は、キャップ４０を装着した状態のキャップ式筆記具１を示す図であり、（ａ）は正面図（前面図）、（ｂ）は上面図、（ｃ）は下面図、（ｄ）は右側面図、（ｅ）は背面図（後面図）、（ｆ）は（ａ）のＡ−Ａ線矢視図である。ここで、以下の説明においては、キャップ式筆記具１を取り扱う者を、マジシャンといい、また、これを見物する者を観客というものとする。
【００２１】
これらの図に示すように、キャップ式筆記具１は、ケーシング１０と、筆記体２０と、圧縮ばね（付勢部材）３０と、キャップ４０とを備えている。
【００２２】
ケーシング１０は、外軸筒１１と尾栓１２とを有している。このうち、外軸筒１１は、軸心Ｃ（中心軸、図１（ｆ）参照）に沿ってほぼ円筒状に形成されていて、先端側（図１，図２のそれぞれの（ａ），（ｄ）〜（ｆ）における上端側、以下同じ。）には、基端側（図１，図２のそれぞれの（ａ），（ｄ）〜（ｆ）における下端側、以下同じ。）よりも小径のキャップ装着部１１ａが形成されていて、キャップ装着部１１ａの先端には、上方に向けて開口された開口部１１ｂが形成されている。この開口部１１ｂは、筆記体２０が出入りする出入り口となっている。キャップ装着部１１ａの外周面及び内周面における下端には、それぞれ外側段部１１ｃ，内側段部１１ｄが形成されている。このうち、外側段部１１ｃは、キャップ４０がキャップ装着部１１ａに装着された際に、キャップ４０の下端が当接される。外周面における外側段部１１ｃの少し上には、外周面を１周するように環状凸部１１ｅが形成されている。この環状凸部１１ｅは、キャップ４０がキャップ装着部１１ａに装着された際に、キャップ４０側の環状凹部４３ｃ（後述）が弾性的に係合される。つまりスナップフィットされるようになっている。キャップ装着部１１ａの内周面は、筆記体２０が開口部１１ｂを出入りする際のガイドとなっている。また、内側段部１１ｄは、ストッパ（以下「ストッパ１１ｄ」という。）となっていて、圧縮ばね３０によって付勢された筆記体２０側の段部２１ｃ（後述）が当接することで、筆記体２０を使用位置Ｐ１に位置決めするようになっている。外軸筒１１の基端（下端）には、開口部１１ｆが形成されている。この開口部１１ｆには、尾栓１２が嵌合されている。尾栓１２には、圧縮ばね３０の基端部３０ａが取り付けられる係止部（不図示）が形成されている。上述の外軸筒１１と尾栓１２とによって、全体として、先端（上端）に開口部１１ｂを有し、基端（下端）が尾栓１２によって閉塞されたほぼ円筒状のケーシング１０を構成しており、ケーシング１０の内側には、収納位置Ｐ２（図２（ｆ）参照）に退避された筆記体２０を収納するための収納部１０ａが形成されている。本実施形態においては、外軸筒１１及び尾栓１２は、不透明なポリプロピレン，ポリカーボネート等の合成樹脂によって形成されている。ここで、「不透明」とは、光が透過しない、または、光は透過するもののその透過量が不十分であるために外部から内部を透視（視認）することができない、という意味で使用する。これに従うと、ケーシング１０は、不透明であるために、外部から内部を透視することができないようになっている。
【００２３】
筆記体２０は、本実施形態においては、内軸筒２１とインクカートリッジ２２と尾栓２３とを有している。内軸筒２１は、先端側が細い、先細りの円筒状に形成されていて、先端部には、透孔２１ａが形成され、また、基端部には開口部２１ｂが形成されている。内軸筒２１の外周面における開口部２１近傍には、上述の外軸筒１１のストッパ１１ｄに係脱する段部２１ｃが形成されている。インクカートリッジ２２は、内軸筒２１の内部に収納されていて、その先端のボールペンチップ２２ａを内軸筒２１の透孔２１ａから上方に突出させている。インクカートリッジ２２の後端（下端）は、内軸筒２１の開口部２１ｂに嵌合された尾栓２３によって固定されている。尾栓２３は、通気孔２３ａが穿設されるとともに、圧縮ばね３０の先端部３０ｂが取り付けられる係止部（（不図示））が形成されている。筆記体２０は、内軸筒２１の外周面が、ケーシング１０のキャップ装着部１１ａの内周面にガイドされて、キャップ装着部１１ａの開口部１１ｂを出入りすることができるようになっている。すなわち、筆記体２０は、ケーシング１０の収納部１０ａに退避された収納位置Ｐ２と、開口部１１ｂから突出してストッパ１１ｄによって位置決めされる使用位置Ｐ１との間をスライド移動できるようになっている。本実施形態においては、内軸筒２１及び尾栓２３は、不透明なポリプロピレン，ポリカーボネート等の合成樹脂によって形成されている。
【００２４】
圧縮ばね（付勢部材）３０は、ケーシング１０の内部、すなわち収納部１０ａに配設されていて、基端部（下端部）３０ａが、ケーシング１０の尾栓１２に取り付けられ、また、先端部（上端部）３０ｂが筆記体２０の尾栓２３に取り付けられている。圧縮ばね３０の中心軸（軸心Ｃと一致）を基準とした外径は、外軸筒１１の内壁１１ｇの内径とほぼ同じに設定されていて、外軸筒１１の内壁１１ｇに内接するようになっている。圧縮ばね３０は、筆記体２０を収納位置Ｐ２から使用位置Ｐ１に向けて付勢している。ここで、圧縮ばね３０の付勢力は、ケーシング１０に後述するキャップ４０を装着した状態、すなわち、ケーシング１０側の環状凸部１１ｅにキャップ４０側の環状凹部４３ｃを嵌合させて、キャップ４０側の押圧部材４３によって筆記体２０を収納位置Ｐ２に退避させた状態において、環状凸部１１ｅと環状凹部４３ｃとの嵌合を解除することができない程度に設定されているものとする。つまり、ケーシング１０からキャップ４０を外さない限り、筆記体２０が突出しないようになっている。
【００２５】
キャップ４０は、キャップ本体４１と、クリップ（ポケットクリップ）４２と、押圧部材（押圧部）４３とを有している。このうち、キャップ本体４１は、ほぼ円筒状に形成されていて、先端側（上端側）には、基端側（下端側）よりも小径な円筒状の突起４１ａが形成されており、また、基端側には開口部４１ｂが形成されている。クリップ４２は、ほぼ棒状に形成されて、キャップ本体４１との間にシャツ等の衣服のポケット（不図示）を挟み込むクリップ本体４２ａと、このクリップ本体４２ａの上端側に一体的に形成されたカップ状の嵌合部４２ｂとを有している。この嵌合部４２ｂは、上述のキャップ本体４１の突起４１ａに嵌合されている。押圧部材４３は、円筒部４３ａとこの円筒部４３ａの上端に形成された天井部４３ｂとを有していて、キャップ本体４１の開口部４１ｂに下方から嵌合されている。円筒部４３ａの内面における下端縁から少し上側には、上述のキャップ装着部１１ａの環状凸部１１ｅに弾性変形によるスナップフィットで係脱可能な、環状凹部４３ｃが全周にわたって形成されている。これにより、ケーシング１０に対するキャップ４０の着脱を素早く行って、ケーシング１０に対する筆記部２０の出入りを素早く行うことができる。これに対し、例えば、ケーシング１０に対するキャップ４０の着脱が、ねじ式である場合には、キャップ４０の着脱に手間取るため、ケーシング１０に対する筆記部２０の出入りを素早く行うことができない。このため、マジック性に劣ることになる。
【００２６】
キャップ４０は、その内部の空間が、クリップ４２の嵌合部４２ｂ及び押圧部材４３の天井部４３ｂによって、閉鎖されている。後述するように、押圧部材４３は、天井部４３ｂにより、筆記体２０を収納位置Ｐ２に退避させたり、使用位置Ｐ１に突出することを可能にしたりするものである。なお、普通のキャップ式筆記具においては、キャップ４０の下端側が開口されていて、キャップ４０の内部に対して、筆記体２０の挿入が可能となっている。本実施形態においては、キャップ本体４１及びクリップ４２は、透明又は半透明なポリプロピレン，ポリカーボネート等の合成樹脂によって形成され、押圧部材４３は、不透明なポリプロピレン，ポリカーボネート等の合成樹脂によって形成されている。ここで、透明又は半透明とは、光が透過するために、外部から内部のようすを透視（視認）することができる、という意味で使用する。
【００２７】
ここで、上述構成のキャップ式筆記具１の各部材について、透明又は半透明であるか、あるいは不透明であるかを整理する。本実施形態においては、キャップ４０を構成するキャップ本体４１とクリップ４２とが透明又は半透明であり、残りの各部材は不透明である。このため、キャップ本体４１を透視して外部から内部を視認することができるが、ケーシング１０の内部の収納部１０ａは透視することができないようになっている。
【００２８】
以上説明した構成のキャップ式筆記具１は、図１に示すように、ケーシング１０からキャップ４０が外された状態においては、筆記体２０は、圧縮ばね３０によって収納位置Ｐ２から使用位置Ｐ１に向けて付勢され、ストッパ１１ｄに当接することで、使用位置Ｐ１に位置決めされている。この状態からケーシング１０にキャップ４０を装着していくと、キャップ４０側の押圧部材４３が、筆記体２０のインクカートリッジ２２のボールペンチップ２２ａに当接して、筆記体２０全体を圧縮ばね３０の付勢力に抗して押し下げる（収納位置Ｐ２に向けて退避させる）。そして、ケーシング１０側の環状凸部１１ｅにキャップ４０側の環状凹部４３ｃが嵌合されて、ケーシング１０に対するキャップ４０の装着が完了すると、図２に示すように、筆記体２０を退避させてケーシング１０内の収納位置Ｐ２に配置することができる。この状態においては、ケーシング１０全体及びキャップ４０の押圧部材４３が不透明であるため、筆記体２０がケーシング１０の内部の収納部１０ａに収納されていることは、外部からは視認することができない。つまり、収納位置Ｐ２に配置された筆記体２０を囲む、外軸筒１１，尾栓１２，押圧部材４３がいずれも不透明であるので、これらを透かして外部から筆記体２０を視認することは困難である。一方、キャップ本体４１及びクリップ４２が透明又は半透明であるため、キャップ４０の内部には、筆記体２０がないことが外部から視認することができる。つまり、普通のキャップ式筆記具であれば、筆記体２０があるはずの位置に筆記体２０がないことを確認することができる。このため、観客は、このキャップ式筆記具１には、筆記体２０がないものと思いこむ。
【００２９】
この状態から、素早く、ケーシング１０側の環状凸部１１ｅに対するキャップ４０側の環状凹部４３ａの嵌合を解除して、キャップ４０をケーシング１０から取り外す。すると、筆記体２０を収納位置Ｐ２に退避させていた押圧部材４３が取り除かれるので、筆記体２０は、圧縮ばね３０に付勢され、さらに、ストッパ１１ｄに当接することにより、ケーシング１０から突出した使用位置Ｐ１に配置される。これにより、観客は、今までなかった筆記体２０が突然、現出されたように錯覚する。この状態では、筆記体２０を手で握って筆記を行えば、普通のキャップ式筆記具と同様に、支障なく筆記を行うことができる。
【００３０】
このキャップ４０が外された状態から素早くケーシング１０にキャップ４０を装着すると、上述のように、筆記体２０は、ケーシング１０内に退避して収納位置Ｐ２に配置される。これにより、観客は、今まであった筆記体２０が、突然、なくなってしまったかのように錯覚する。
【００３１】
このように、本考案に係るキャップ式筆記具１は、筆記具として使用することができるのは、もちろん、手品（マジック）を行う道具として、意外性、マジック性を発揮することができる。
【００３２】
本実施形態においては、圧縮ばね３０は、その外周がケーシング１０の外軸筒１１の内壁１１ｇに内接するように構成されているので、内接していない場合と異なり、伸縮に際して、中心軸を軸心Ｃに一致させた状態を保持して、不要に曲がりくねることを防止することができ、また、外周と内壁１１ｇとの間に隙間ができて外周が内壁１１ｇに衝突したりすることがないので、「ジャラジャラ」といった、マジックにとって不自然な異音が発生するおそれがない。
【００３３】
以上の実施形態においては、キャップ４０のキャップ本体４１及びクリップ４２の全体が透明又は半透明である場合を例に説明したが、本考案はこれに限らず、少なくともキャップ本体４１の一部が透明で、その透明部分から、ケーシング１０にキャップ４０を装着した際にキャップ４０の内部に筆記体２０がないことを、外部から視認することができるようになっていればよい。
【００３４】
また、不透明な部分についても、マジシャンが適宜、手で隠す等すれば、必ずしも不透明である必要がない。ただし、キャップ式筆記具１を観客に間近で見せたりする場合には、上述の実施形態のように、収納位置Ｐ２に収納された筆記体２０を囲む部分は不透明であることが好ましい。なお、筆記体２０の内軸筒２１や尾栓２３については、透明又は半透明であってもほとんど支障はないが、筆記体２０のあるなしが、このマジックの要となるので、筆記体２０は可及的目立つようにすることが好ましい。
【００３５】
また、ケーシング１０の外軸筒１１は、上述では、円筒状である場合を例に説明したが、これに限らず、正四角形，正五角形，正六角形，正八角形等の角筒状に形成してもよい。これらの場合でも、圧縮ばね３０の外周が外軸筒１１の内壁１１ｇに内接するように構成することで、圧縮ばね３０の伸縮に伴う、不要な異音の発生を防止することができる。なお、異音の発生がわずかである場合には、圧縮ばね３０の外周が外軸筒１１の内壁１１ｇに内接しない構成であってもよい。
【００３６】
また、筆記体２０については、上述ではボールペンである場合について説明したが、これに代えて、万年筆やサインペンやマーカーを採用することも可能である。
【００３７】
また、ケーシング１０と筆記体２０との間に、筆記体２０を使用位置Ｐ１にロックするロック機構を設けるようにしてもよい。ロック機構は、例えば、ケーシング１０側の装着部１１ａの内周面に、軸心に沿った縦溝（不図示）を形成し、また、これに交差する周方向の横溝（不図示）を形成する一方、筆記体２０の内軸筒２１の外周面に上述の縦溝及び横溝に係脱可能な突起（不図示）を設けることによって構成することができる。ここで、横溝は、筆記体２０が使用位置Ｐ１に配置された際の突起の位置に対応する位置に形成する。この構成によると、筆記体２０が収納位置Ｐ２から使用位置Ｐ１に移動する際に、突起は、筆記体２０が収納位置Ｐ２に配置される少し手前で縦溝に沿って移動し、筆記体２０が収納位置Ｐ２に配置されると、横溝に対応する位置で停止する。この状態からマジシャンが、筆記体２０をインクカートリッジ２２を基準として捩る（回転させる）と、突起は横溝に入り込む。この状態では、筆記体２０を使用位置Ｐ１から退避させることができない。このため、例えば、観客がキャップ４０を装着しようとしても、筆記体２０が退避しないことになるので、一層、マジック性を高めることができる。
【００３８】
また、上述ではキャップ４０がクリップ４２を有する場合を説明したが、クリップ４２は必ずしもなくてもよい。
【００３９】
また、上述では、押圧部材４３の天井部４３ｂが直接、インクカートリッジ２２のボールペンチップ２２ａに当接する場合を説明したが、これに代えて、天井部４３ｂから凸部（不図示）を垂下させて、天井部４３ｂがボールペンチップ２２ａに当接する前に、この凸部が内軸筒２１の先端に当接するようにしてもよい。このような構成は、特に、筆記体２０が万年筆やマーカーである場合に有効である。
【００４０】
また、上述では、キャップ４０の内部が空間である場合を説明したが、これに代えて、キャップ４０の内部を密閉して、ここに透明や半透明の液体を充填したり、さらに液体に鑑賞物を入れたりしてもよい。この場合には、装着状態のキャップ４０の内部には筆記体２０がないことを、観客に対して強調することができる。
【図面の簡単な説明】
【００４１】
【図１】（ａ）〜（ｆ）は、キャップ４０を外した状態のキャップ式筆記具１を示す図であり、（ａ）は正面図（前面図）、（ｂ）は上面図、（ｃ）は下面図、（ｄ）は右側面図、（ｅ）は背面図（後面図）、（ｆ）は（ａ）のＡ−Ａ線矢視図である。
【図２】（ａ）〜（ｆ）は、キャップ４０を装着した状態のキャップ式筆記具１を示す図であり、（ａ）は正面図（前面図）、（ｂ）は上面図、（ｃ）は下面図、（ｄ）は右側面図、（ｅ）は背面図（後面図）、（ｆ）は（ａ）のＡ−Ａ線矢視図である。
【符号の説明】
【００４２】
１          キャップ式筆記具
１０        ケーシング
１０ａ      収納部
１１        外軸筒
１１ｂ      ケーシングの開口部
１１ｄ      ストッパ
１１ｇ      ケーシングの内壁
１２        尾栓
２０        筆記体
２１        内軸筒
２２        インクカートリッジ
２３        尾栓
３０        圧縮ばね（付勢部材）
４０        キャップ
４１        キャップ本体
４２        クリップ
４３        押圧部材（押圧部）
Ｃ          軸心
Ｐ１        使用位置
Ｐ２        収納位置
【図１】
0003144421.tif 000003
【図２】
0003144421.tif 000004